(57)【要約】【課題】テンプルを展開した状態、及びテンプルを折り畳んだ状態で安定した状態を維持させつつ、テンプルの開閉作業性の向上を図った眼鏡フレームを提供する。【解決手段】テンプル３０は、眼鏡を掛けて略正面を見る際の視線の方向に対して左右の外側に傾いた方向を中心とする軸を中心に回動自在に構成された眼鏡フレーム１００において、一端側がテンプル３０の回動中心となる軸に対して略平行にずれた軸を中心としてフロント１０に対して回動自在に軸支され、かつ他端側がテンプル３０に対して回動自在に軸支され、テンプル３０の回動動作に伴ってテンプル３０と共に回動する弾性部材４０を備え、弾性部材４０は、テンプル３０が折り畳まれた位置と展開位置に位置する際には弾性反発力を奏しない状態となり、テンプル３０が折り畳まれた位置と展開位置との間に位置する際には、弾性反発力が生じてテンプル３０に対してテンプル３０の回動方向に力を付与する。【選択図】図１
0003164719.tif 000002
【実用新案登録請求の範囲】
【請求項１】
テンプルがフロントに対して回動自在に軸支されることで、該テンプルが、折り畳まれた位置と眼鏡を掛ける際の展開位置との間を回動するように構成された眼鏡フレームであって、
前記テンプルは、眼鏡を掛けて略正面を見る際の視線の方向に対して左右の外側に傾いた方向を中心とする軸を中心に回動自在に構成された眼鏡フレームにおいて、
一端側が、前記テンプルの回動中心となる軸に対して略平行にずれた軸を中心として前記フロントに対して回動自在に軸支され、かつ他端側が、前記テンプルに対して回動自在に軸支されることで、前記テンプルの回動動作に伴って該テンプルと共に回動する弾性部材を備え、
該弾性部材は、
前記テンプルが、前記折り畳まれた位置と前記展開位置に位置する際には、弾性反発力を奏しない状態となり、
前記テンプルが、前記折り畳まれた位置と前記展開位置との間に位置する際には、弾性反発力が生じて、前記テンプルに対して該テンプルの回動方向に力を付与する状態となることを特徴とする眼鏡フレーム。
【請求項２】
前記テンプルが、前記折り畳まれた位置と前記展開位置との間に位置する際には、該折り畳まれた位置又は展開位置に位置する場合に比べて、前記弾性部材における一端側の軸支された位置と他端側の軸支された位置との間の距離が縮まることで、該弾性部材が撓んで弾性反発力が生じることを特徴とする請求項１に記載の眼鏡フレーム。
【請求項３】
前記フロントには、該テンプルの回動範囲を規制する規制部が設けられていることを特徴とする請求項１又は２に記載の眼鏡フレーム。
【考案の詳細な説明】
【技術分野】
【０００１】
本考案は、眼鏡フレームに関するものである。
【背景技術】
【０００２】
一般的に、眼鏡フレームにおけるテンプルは、フロントに対して略鉛直方向を中心とする軸に対して回動自在に軸支されている（本明細書においては、原則、ユーザが立位の状態で眼鏡を掛けた際の眼鏡の向きを基準にして、方向を示す）。
【０００３】
また、テンプルに対して上下方向に外力が作用した場合でも力を分散させる目的やデザイン上の観点から、眼鏡を掛けて略正面を見る際の視線の方向に対して左右の外側に傾いた方向を中心する軸を中心に、テンプルがフロントに対して回動自在に構成された眼鏡も知られている（特許文献１，２参照）。なお、かかる眼鏡の場合には、眼鏡を掛けた際のテンプルの外側となる面が、テンプルを折り畳んだ際には内側（レンズと対向する側）になる点で、一般的な眼鏡の場合とは異なっている。したがって、外側に膨らむように湾曲するテンプルの場合、一般的な眼鏡の場合に比べて、よりコンパクトに折り畳むことが可能となる。
【０００４】
しかしながら、かかる眼鏡の場合、テンプルを、折り畳んだ位置及び眼鏡を掛ける際の展開位置のぞれぞれの位置で、保持させる機構や構造がないと、テンプルが重力によって下方に垂れ下がってしまうという欠点を有する。
【０００５】
一方、テンプルを折り畳んだ位置及び眼鏡を掛ける際の展開位置のぞれぞれの位置で保持させるために、係止突起などによる係止機構などを採用すると、テンプルを折り畳んだり、眼鏡を掛けるために展開させたりする際に、両手で作業を行わなければならないなど、作業が面倒になってしまう。したがって、例えば、運動している最中や、車や自転車を運転している最中などに、眼鏡を掛けたり、眼鏡をしまったりする作業がし辛くなってしまう。
【先行技術文献】
【特許文献】
【０００６】
【特許文献１】特開平０８−２３４１４５号公報
【特許文献２】特開２００３−３２２８２８号公報
【考案の概要】
【考案が解決しようとする課題】
【０００７】
本考案の目的は、テンプルを展開した状態、及びテンプルを折り畳んだ状態で安定した状態を維持させつつ、テンプルの開閉作業性の向上を図った眼鏡フレームを提供することにある。
【課題を解決するための手段】
【０００８】
本考案は、上記課題を解決するために以下の手段を採用した。
【０００９】
すなわち、本考案の眼鏡フレームは、
テンプルがフロントに対して回動自在に軸支されることで、該テンプルが、折り畳まれた位置と眼鏡を掛ける際の展開位置との間を回動するように構成された眼鏡フレームであって、
前記テンプルは、眼鏡を掛けて略正面を見る際の視線の方向に対して左右の外側に傾い
た方向を中心とする軸を中心に回動自在に構成された眼鏡フレームにおいて、
一端側が、前記テンプルの回動中心となる軸に対して略平行にずれた軸を中心として前記フロントに対して回動自在に軸支され、かつ他端側が、前記テンプルに対して回動自在に軸支されることで、前記テンプルの回動動作に伴って該テンプルと共に回動する弾性部材を備え、
該弾性部材は、
前記テンプルが、前記折り畳まれた位置と前記展開位置に位置する際には、弾性反発力を奏しない状態となり、
前記テンプルが、前記折り畳まれた位置と前記展開位置との間に位置する際には、弾性反発力が生じて、前記テンプルに対して該テンプルの回動方向に力を付与する状態となることを特徴とする。
【００１０】
本考案によれば、テンプルが折り畳まれた位置や展開位置に位置する場合には、弾性部材による弾性反発力が奏しない状態となるため、テンプルがこれらの位置に位置する場合には、その状態が安定的に維持される。一方、テンプルが折り畳まれた位置と展開位置との間に位置する場合には、弾性部材の弾性反発力によって、テンプルの回動方向に力が付与されるので、中途半端な位置でテンプルが留まってしまうことを抑制できる。また、テンプルを折り畳んだ位置から展開する場合、及び展開位置から折り畳む場合には、ある程度、テンプルを回動させれば、弾性部材の弾性反発力によってテンプルが自動的に展開位置または折り畳み位置まで回動するため、テンプルの開閉作業性に優れる。
【００１１】
前記テンプルが、前記折り畳まれた位置と前記展開位置との間に位置する際には、該折り畳まれた位置又は展開位置に位置する場合に比べて、前記弾性部材における一端側の軸支された位置と他端側の軸支された位置との間の距離が縮まることで、該弾性部材が撓んで弾性反発力が生じるとよい。
【００１２】
このように、弾性部材の撓み変形による弾性反発力を利用することで、テンプルが、折り畳まれた位置と展開位置に位置する際には、弾性反発力が奏しない状態とし、テンプルが、折り畳まれた位置と展開位置との間に位置する際には、弾性反発力が生じて、テンプルに対して該テンプルの回動方向に力を付与する状態とすることが可能となる。
【００１３】
前記フロントには、該テンプルの回動範囲を規制する規制部が設けられているとよい。
【００１４】
これにより、テンプルを折り畳んだ際や展開した際のテンプルの状態をより一層安定化させることができる。
【００１５】
なお、上記各構成は、可能な限り組み合わせて採用し得る。
【考案の効果】
【００１６】
以上説明したように、本考案によれば、テンプルを展開した状態、及びテンプルを折り畳んだ状態で安定した状態を維持させつつ、テンプルの開閉作業性の向上を図ることができる。
【図面の簡単な説明】
【００１７】
【図１】本考案の実施例に係る眼鏡フレームの右半分の平面図である。
【図２】本考案の実施例に係る眼鏡フレームにおけるフロントとテンプルの連結部付近を内側から見た（図１中矢印Ｖ１方向に見た）図である。
【図３】本考案の実施例に係る眼鏡フレームにおけるフロントとテンプルの連結部付近の模式的断面図（図２中ＡＡ断面図）である。
【図４】本考案の実施例に係る眼鏡フレームにおけるフロントとテンプルの連結部付近を外側から見た（図１中矢印Ｖ２方向に見た）図である。
【図５】本考案の実施例に係る眼鏡フレームにおけるテンプルの回動動作説明図である。
【考案を実施するための形態】
【００１８】
以下に図面を参照して、この考案を実施するための形態を、実施例に基づいて例示的に詳しく説明する。ただし、この実施例に記載されている構成部品の寸法、材質、形状、その相対配置などは、特に特定的な記載がない限りは、この考案の範囲をそれらのみに限定する趣旨のものではない。
【００１９】
（実施例）
図１〜図５を参照して、本考案の実施例に係る眼鏡フレームについて説明する。
【００２０】
＜眼鏡フレームの全体構成＞
本実施例に係る眼鏡フレームの全体的な構成について、特に、図１を参照して説明する。本実施例に係る眼鏡フレーム１００は、リム部などを含むフロント１０と、フロント１０に固定されるパッド２０と、フロント１０の左右の両端に回動自在に軸支される一対のテンプル３０とを備えている。なお、図１においては眼鏡フレームを上方から見て右半分のみを示しており、一対のテンプル３０のうち右側のテンプル３０のみを示している。
【００２１】
本実施例においては、テンプル３０は、眼鏡を掛けて略正面を見る際の視線の方向に対して左右の外側に傾いた方向を中心する軸を中心に、フロント１０に対して回動自在に構成されている。すなわち、図１に示すように、右側のテンプル３０の場合には、上記の視線の方向（図１において上方向）に対して、右側におおよそ４５°傾いた方向を中心とする軸（図１中、一点鎖線Ｔ）を中心に回動自在に構成されている。眼鏡は左右対称の構造であり、左側のテンプル３０については、上記の視線方向に対して、左側におおよそ４５°傾いた方向を中心とする軸を中心に回動自在に構成されることは言うまでもない。
【００２２】
また、本実施例においては、テンプル３０は下方の約１８０°の範囲内でのみ回動するように、回動範囲が規制されている。この点については、後に詳細に説明する。
【００２３】
そして、本実施例においては、テンプル３０の回動動作に伴って、テンプル３０と共に回動する弾性部材４０が設けられている。この弾性部材４０は、ナイロン製の板バネであり、その一端側がフロント１０に対して回動自在に軸支され、他端側がテンプル３０に対して回動自在に軸支されている。
【００２４】
＜テンプルの回動動作＞
特に図２〜図５を参照して、テンプル３０の回動動作について、より詳細に説明する。
【００２５】
テンプル３０は、フロント１０に対して、ピン３１により回動自在に軸支されている。すなわち、このピン３１の中心軸が、テンプル３０の回動中心となる。そして、フロント１０には、内側に突出するように構成された規制部１１が設けられている。テンプル３０は、この規制部１１に突き当たるように構成されており、図２中矢印で示すように、下方の約１８０°の範囲内でのみ回動自在に構成されている。
【００２６】
そして、弾性部材４０の一端側は、上記の通り、フロント１０に対して回動自在に軸支されている。図４においては、説明の便宜上、フロント１０に対して、テンプル３０が軸支されている位置と、弾性部材４０が軸支されている位置との関係が分かるように、テンプル３０の端部の輪郭や弾性部材４０の端部の輪郭等を点線にて示している。
【００２７】
弾性部材４０の一端側は、テンプル３０と同様に、ピン４１によって、フロント１０に対して回動自在に軸支されている。そして、弾性部材４０の一端側におけるフロント１０に対する回動中心（ピン４１の中心軸）は、テンプル３０のフロント１０に対する回動中心（ピン３１の中心軸）に対して、略平行にずれるように構成されている。より具体的には、ピン４１の中心軸はピン３１の中心軸に対して、下方かつややテンプル３０の先端側にずれるように配置されている。また、弾性部材４０の他端側は、ピン４２によって、テンプル３０に対して回動自在に軸支されている。
【００２８】
以上のように構成された眼鏡フレーム１００において、テンプル３０を回動させる際の動作（メカニズム）について、特に図５を参照して説明する。
【００２９】
図５は、ピン３１の中心軸の軸方向かつテンプル３０の内側からテンプル３０等を見た場合において、テンプル３０を回動させた場合のテンプル３０及び弾性部材４０の位置関係を示した図である。
【００３０】
図５中、３０Ｘはテンプル３０が折り畳まれた状態、３０Ｚはテンプル３０が展開された状態、３０Ｙはテンプル３０が折り畳まれた位置と展開位置との中間に位置する状態を示している。
【００３１】
また、図５中、実線で示す円Ｓ１は、ピン３１の中心軸を中心としてテンプル３０が回動する際のピン４２の中心軸の軌道を示したものである。なお、説明の便宜上、当該軌道を円で示しているが、上記の通り、テンプル３０は回動範囲が規制されており、図５中の左側の半分がピン４２の軌道に相当する。
【００３２】
また、図５中、点線で示す円Ｓ２は、弾性部材４０が、テンプル３０に対して軸支されていないフリーの状態で、ピン４１の中心軸を中心として弾性部材４０を回動させた場合のピン４２に軸支される部位の軌道を示したものである。
【００３３】
図５に示すように、円Ｓ１と円Ｓ２は、テンプル３０が折り畳まれた状態におけるピン４２（図中４２Ｘ）の中心軸の位置と、テンプル３０が展開された状態におけるピン４２（図中４２Ｚ）の中心軸の位置で交差している。
【００３４】
これは、テンプル３０が、折り畳まれた位置にある場合と展開位置にある場合には、弾性部材４０は自然状態（外力が作用していない状態）にあることを意味している。
【００３５】
また、円Ｓ２は円Ｓ１に対して、図５中左側（立位で眼鏡を掛けた場合における下側）にずれている。これは、テンプル３０が、折り畳まれた位置と展開位置のいずれの位置でもない位置にある場合には、弾性部材４０をフリーの状態（テンプル３０に対して軸支されておらず外力が作用していない状態）で回動させる場合のピン４２に軸支される部位に対して、テンプル３０にピン４２によって軸支された場合のピン４２の位置がずれていることを意味している。
【００３６】
より具体的には、テンプル３０の回動範囲において、ピン４１とピン４２との間の距離は、弾性部材４０がテンプル３０に対してピン４２によって軸支される場合には、弾性部材４０がピン４２によって軸支されない場合に比べて、短くなるように構成されている。したがって、テンプル３０が、折り畳まれた位置と展開位置のいずれの位置でもない位置にある場合には、弾性部材４０には、ピン４１とピン４２によって、両端側から中央方向に向かって外力が作用する。弾性部材４０は、図１に示すように、外力が作用していない状態において、外側に少し膨らむように湾曲する形状となっており、上記のような外力が作用すると、弾性部材４０は、より一層外側に膨らむように撓んだ状態となる。これによ
り、弾性部材４０は元の形状に戻ろうとする弾性反発力が生じる。
【００３７】
図５に示すように、テンプル３０が折り畳まれた位置と展開位置との中間に位置する場合に、円Ｓ２と円Ｓ１との間の隙間が最も大きくなる。この場合、弾性部材４０をフリーの状態で回動させる場合のピン４２に軸支される部位（図中４２Ｍ）が、テンプル３０にピン４２によって軸支された場合のピン４２の位置（図中４２Ｙ）に対して最も離れていることになる。すなわち、ピン４１とピン４２（４２Ｙ）との間の距離が最も短くなる場合に相当する。このとき、弾性部材４０の弾性変形量は最も大きくなり、これに伴い弾性反発力も最も大きくなる。
【００３８】
テンプル３０が、折り畳まれた位置と展開位置との中間位置よりも少しずれた位置にある場合には、弾性部材４０の弾性反発力によって、テンプル３０に対して、当該弾性反発力を減ずる方向に力が作用する。すなわち、テンプル３０が上記の中間位置よりも折り畳み位置側にずれた位置にある場合には、弾性部材４０の弾性反発力によって、テンプル３０には折り畳み位置方向に回動させる力が作用する。また、テンプル３０が上記の中間位置よりも展開位置側にずれた位置にある場合には、弾性部材４０の弾性反発力によって、テンプル３０には展開位置方向に回動させる力が作用する。
【００３９】
＜本考案の実施例に係る眼鏡フレームの優れた点＞
本実施例に係る眼鏡フレーム１００によれば、テンプル３０が、折り畳まれた位置（図５中３０Ｘ）及び展開位置（図５中３０Ｚ）に位置する場合には、弾性部材４０による弾性反発力が奏しない状態となる。一方、テンプル３０が、折り畳まれた位置と展開位置との間に位置する場合には、弾性部材４０による弾性反発力が生ずる状態となる。従って、テンプル３０が、折り畳まれた位置及び展開位置に位置する場合には、その状態が安定的に維持される。
【００４０】
一方、テンプル３０が折り畳まれた位置と展開位置との間に位置する場合には、上記の通り、弾性部材４０の弾性反発力によって、テンプル３０の回動方向に力が付与されるので、中途半端な位置でテンプル３０が留まってしまうことを抑制できる。
【００４１】
また、テンプル３０を、折り畳んだ位置から展開する場合、及び展開位置から折り畳む場合には、テンプル３０を、折り畳まれた位置と展開位置との中間位置（図５中３０Ｙ）を越える程度まで回動させれば、弾性部材４０の弾性反発力によってテンプル３０が自動的に展開位置または折り畳み位置まで回動する。従って、テンプル３０の開閉作業性に優れる。
【００４２】
また、本実施例においては、フロント１０には、テンプル３０の回動範囲を規制する規制部１１が設けられている。これにより、テンプル３０を折り畳んだ際や展開した際のテンプル３０の状態をより一層安定化させることができる。
【００４３】
そして、本実施例に係る眼鏡フレーム１００においては、長期間の使用により、テンプル３０の回動動作が繰り返し行われる。これにより、弾性部材４０の撓み変形も繰り返し行われる。従って、経時劣化によって、弾性部材４０の機能が低下し、破損することも考えられる。この場合には、弾性部材４０を交換しなければならない。しかし、本実施例に係る眼鏡フレーム１００によれば、弾性変形が繰り返されるのは、弾性部材４０のみであり、テンプル３０自体は弾性変形による経時劣化の問題はない。従って、経時劣化によって部品を交換しなければならない場合のコストを抑制することができる。
【００４４】
＜その他＞
上記実施例においては、弾性部材４０の一例として、ナイロン製の板バネの場合を示し
たが、弾性部材４０はこれに限られるものではない。弾性部材４０として、板バネを採用する場合であっても、その素材はナイロンに限らず、弾性を有する材料であれば、各種の材料を適用できる。すなわち、樹脂に限らず、ゴムや金属なども適用できる。また、板バネに限らず、線状のバネ材を用いてもよい。
【符号の説明】
【００４５】
１０  フロント
１１  規制部
２０  パッド
３０  テンプル
３１  ピン
４０  弾性部材
４１  ピン
４２  ピン
１００  眼鏡フレーム
【図１】
0003164719.tif 000003
【図２】
0003164719.tif 000004
【図３】
0003164719.tif 000005
【図４】
0003164719.tif 000006
【図５】
0003164719.tif 000007